(57)【特許請求の範囲】
【請求項１】
設定ボタンを押すごとに設定内容を変更する操作部を有する家電製品において、設定ボタンが押されてからの経過時間をカウントするタイマと、現在設定されている設定内容を音声あるいは報知音によって報知する設定内容報知部と、前記設定ボタンが押されると、前記タイマの値が一定値以上であるか否かを判定し、一定値以上であれば前記設定内容報知部を駆動し、そうでなければ設定内容を変更させる制御部を備えた設定確認装置付き家電製品。
【請求項２】
複数の設定ボタンを備え、設定ボタンを押すごとに設定ボタンに対応する設定内容を変更する操作部を有する家電製品において、前記設定ボタンが押されてからの経過時間をカウントするタイマと、押された設定ボタンを記憶する記憶部と、現在設定されている設定内容を音声あるいは報知音によって報知する設定内容報知部と、前記タイマの値が一定値になった場合には、前記設定内容報知部を駆動し前記記憶部に記憶された設定ボタンに対応する設定内容を報知させる制御部を備えた設定確認装置付き家電製品。
【発明の詳細な説明】
【０００１】
【発明の属する技術分野】
本発明は設定ボタンを押すごとに設定内容を変更する操作部を有し、現在の設定内容を音声あるいは報知音によって報知する家電製品に関するものである。
【０００２】
【従来の技術】
従来の家電製品は設定ボタンと設定内容を表示する表示部とを備えており、使用者は表示部を見ることによって現在の設定内容を確認しながら設定ボタンを操作していた。しかし、目の不自由な人は表示部から現在の設定内容を知ることができないため、設定間違いが生じるという問題があった。
【０００３】
このため、従来でも表示部以外に音声や報知音を用いた操作部を持つ家電製品が必要となり、それに対応した製品が提供されている。音声または報知音による設定内容確認手段をもつ従来技術は、報知音を発する報知部と設定ボタンが押されるごとに設定内容を順次変更していき、最後の設定内容になると最初の設定内容に戻るとともに報知部を駆動させる制御部を備え、設定ボタンが押され設定内容がひとまわりすると最初の設定内容に戻ったことを報知するものがある。この方法によれば、使用者は報知音がしてから何回設定ボタンを押したかを自ら数えていれば現在の設定内容を知ることができる。
【０００４】
他の従来技術としては、設定内容を音声によって報知する設定内容報知部と、設定ボタンが押されると設定内容を変更するとともに設定内容報知部を駆動させ新たに設定された内容を報知させる制御部とを備え、設定ボタンが押されるごとに設定内容を報知するものがある。
【０００５】
【発明が解決しようとする課題】
しかし、従来技術の構成では設定内容を確認するには一度最初の設定内容になるまで設定ボタンを押し続けなければならず、設定に時間がかかるという課題があった。また、機器によってはたとえば洗濯コースという設定内容を変更すると、洗い時間という設定内容が自動的に初期値に設定されてしまうというように、他の設定内容と連動している設定内容もある。そのため、従来の技術では設定内容確認のために設定ボタンを押していると一度設定した内容が変更されてしまうという課題があった。第二の従来技術でも一度設定した設定内容を再確認するにはもう一度設定ボタンを押す必要があり、設定内容確認のために設定ボタンを押していると一度設定した内容が変更されてしまうという課題があった。また、設定ボタンを押すごとに設定内容が報知されるため、ユーザによってはうるさいと感じるという課題があった。また、設定内容を報知している最中に設定ボタンが押されると、再報知のために現在の報知を中止するか押された設定ボタンを無視する必要がある。そのため特に設定ボタンを押すごとに設定内容を変更する操作部を有する家電製品のように目的の設定内容にするために数回設定ボタンを押す必要がある場合には操作性が悪いという課題があった。
【０００６】
【課題を解決するための手段】
上記の課題を解決するために本発明の家電製品は、設定ボタンを押すごとに設定内容を変更する操作部を有する家電製品において、設定ボタンが押されてからの経過時間をカウントするタイマと、現在設定されている設定内容を音声あるいは報知音によって報知する設定内容報知部と、前記設定ボタンが押されると、前記タイマの値が一定値以上であるか否かを判定し、一定値以上であれば前記設定内容報知部を駆動し、そうでなければ設定内容を変更させる制御部を備えたものである。これにより、使用者は現在の設定内容を変更させることなく設定内容を知ることができる。
【０００７】
【発明の実施の形態】
本発明の請求項１に記載の発明は、設定ボタンを押すごとに設定内容を変更する操作部を有する家電製品において、設定ボタンが押されてからの経過時間をカウントするタイマと、現在設定されている設定内容を音声あるいは報知音によって報知する設定内容報知部と、前記設定ボタンが押されると、前記タイマの値が一定値以上であるか否かを判定し、一定値以上であれば前記設定内容報知部を駆動し、そうでなければ設定内容を変更させる制御部を備えたことにより、最後に設定ボタンを押してから一定時間経過する前に設定ボタンが押されると設定内容を変更し、最後に設定ボタンを押してから一定時間経過してから設定ボタンが押されると設定内容を音声あるいは報知音によって報知する。
【０００８】
請求項２に記載の発明は、複数の設定ボタンを備え、設定ボタンを押すごとに設定ボタンに対応する設定内容を変更する操作部を有する家電製品において、前記設定ボタンが押されてからの経過時間をカウントするタイマと、押された設定ボタンを記憶する記憶部と、現在設定されている設定内容を音声あるいは報知音によって報知する設定内容報知部と、前記タイマの値が一定値になった場合には、前記設定内容報知部を駆動し前記記憶部に記憶された設定ボタンに対応する設定内容を報知させる制御部を備えたことにより、最後に設定ボタンを押してから他のボタンが押されないまま一定時間経過すると最後に押された設定ボタンに対応する設定内容を報知し、最後に設定ボタンを押してから一定時間が経過する前に他のボタンが押されると押された設定ボタンに対応する設定内容を変更する。
【０００９】
【実施例】
（参考実施例１）
以下、本発明の参考実施例について図面を参照しながら説明する。
【００１０】
図１は参考実施例１における洗濯機の操作部のブロック図であり、図２は外観である。図１において、１は設定内容である洗濯メニューを設定するための設定ボタン、２は設定モードと確認モードを切り替えるモードボタン、３はモードを記憶するモード記憶部、４は洗濯メニューに応じて異なる周波数の報知音をスピーカー７によって報知する設定内容報知部、５は洗濯メニューに応じてＬＥＤ８またはＬＥＤ９またはＬＥＤ１０を点灯させる表示部、６は設定モードの状態で設定ボタン１が押された場合には設定内容を変更し、設定モードの状態で設定ボタン１が押された場合には洗濯メニューを変更し表示部５を駆動させ、確認モードの状態で設定ボタン１が押された場合には設定内容報知部４を駆動し設定された内容を報知させる制御部である。
【００１１】
以上のように構成された操作部の制御部２２の動作について、図３を用いて説明する。
【００１２】
ステップ１０１で設定ボタン１が押された場合はステップ１０２に移り、そうでない場合はステップ１０１をくり返す。ステップ１０２でモード記憶部３の内容が設定モードであればステップ１０３に移り、そうでなければステップ１０５に移る。ステップ１０３で現在の洗濯メニューが「通常」であれば「手洗い」に、「手洗い」であれば「毛布」に、「毛布」であれば「通常」に洗濯メニューを変更する。ステップ１０４で表示部５を駆動し、洗濯メニューに応じたＬＥＤを点灯させ、ステップ１０１に戻る。ステップ１０５で設定内容報知部４を駆動し、洗濯メニューに応じた報知音を発生させ、ステップ１０１に戻る。
【００１３】
例として洗濯メニューが「通常」で、モード記憶部３に設定モードが記憶されている状態で設定ボタン１が押された場合の動作を説明する。設定ボタン１が押されるまでは制御部２２はステップ１０１をくり返す。設定ボタン１が押されるとステップ１０２に移る。ステップ１０２でモード記憶部３に設定モードが記憶されているのでステップ１０３に移る。ステップ１０３で現在の洗濯メニューが「通常」なので「手洗い」に洗濯メニューを変更する。ステップ１０４で表示部５を駆動し、洗濯メニュー「手洗い」に応じたＬＥＤ９を点灯させステップ１０１に戻る。
【００１４】
次に洗濯メニューが「通常」でモード記憶部３に確認モードが記憶されている状態で設定ボタン１が押された場合の動作を説明する。設定ボタン１が押されるまでは制御部２２はステップ１０１をくり返す。設定ボタン１が押されるとステップ１０２に移る。ステップ１０２でモード記憶部３の内容が設定モードでないのでステップ１０５に移る。ステップ１０５で設定内容報知部４を駆動し、洗濯メニューに応じた報知音を発生させ、ステップ１０１に戻る。
【００１５】
このように本発明によれば、設定モードの状態で設定ボタンを押すことにより洗濯メニューを設定することができ、確認モードの状態で設定ボタンを押すことにより洗濯メニューを音で確認することができる。
【００１６】
なお上記参考実施例では設定内容および設定ボタンが１種類であったが、複数であっても同様に動作することはあきらかである。
【００１７】
（参考実施例２）
以下、本発明の参考実施例について図面を参照しながら説明する。
【００１８】
図４は参考実施例２における洗濯機の操作部のブロック図である。図４において、１と４と５は参考実施例１の操作部と同じである。２１は設定内容確認ボタン、２２は設定内容確認ボタン２１が押されていない状態で設定ボタン１が押された場合には洗濯メニューを変更し表示部５を駆動し、設定内容確認ボタン２１が押されたままの状態で設定ボタン１が押された場合には設定内容報知部４を駆動する制御部である。
【００１９】
以上のように構成された操作部の制御部２２の動作について、図５を用いて説明する。ステップ２０１で設定ボタン１が押された場合はステップ２０２に移り、そうでない場合はステップ２０１をくり返す。ステップ２０２で設定確認ボタン２２が押されていなければステップ２０３に移り、そうでなければステップ２０５に移る。ステップ２０３で現在の洗濯メニューが「通常」であれば「手洗い」に、「手洗い」であれば「毛布」に、「毛布」であれば「通常」に洗濯メニューを変更する。ステップ２０４で表示部５を駆動し、洗濯メニューに応じたＬＥＤを点灯させ、ステップ２０１に戻る。ステップ２０５で設定内容報知部４を駆動し、洗濯メニューに応じた報知音を発生させ、ステップ２０１に戻る。
【００２０】
例として洗濯メニューが「通常」の時に設定確認ボタン２１が押されていない状態で設定ボタン１が押された場合の動作を説明する。設定ボタン１が押されるまでは制御部２２はステップ２０１をくり返す。設定ボタン１が押されるとステップ２０２に移る。ステップ２０２で設定確認ボタン２１が押されていないのでステップ２０３に移る。ステップ２０３で現在の洗濯メニューが「通常」なので「手洗い」に洗濯メニューを変更する。ステップ２０４で表示部５を駆動し、洗濯メニュー「手洗い」に応じたＬＥＤ９を点灯させステップ２０１に戻る。
【００２１】
次に洗濯メニューが「通常」の時に設定確認ボタン２１を押したままの状態で設定ボタン１が押された場合の動作を説明する。設定ボタン１が押されるまでは制御部２２はステップ２０１をくり返す。設定ボタン１が押されるとステップ２０２に移る。ステップ２０２で設定確認ボタン２１が押されているのでステップ２０５に移る。ステップ２０５で設定内容報知部４を駆動し、洗濯メニューに応じた報知音を発生させ、ステップ２０１に戻る。
【００２２】
このように本発明によれば、設定確認ボタンを押していない状態で設定ボタンを押すことにより洗濯メニューを設定することができ、設定確認ボタンを押したままの状態で設定ボタンを押すことにより洗濯メニューを音で確認することができる。
【００２３】
なお上記参考実施例では設定内容および設定ボタンが１種類であったが、複数であっても同様に動作することはあきらかである。
【００２４】
（実施例１）
以下、本発明の一実施例について図面を参照しながら説明する。
【００２５】
図６は実施例１における洗濯機の操作部のブロック図である。図６において、１と４と５は実施の形態１の操作部と同じである。３１は設定ボタン１が押されてからの経過時間をカウントするタイマ、３２は設定ボタン１が押されると、タイマ３１の値が一定値以上であるか否かを判定し、一定値以上であれば設定内容報知部ｐ４を駆動し、そうでなければ設定内容を変更させる制御部である。
【００２６】
以上のように構成された操作部の制御部３２の動作について、図６を用いて説明する。ステップ３０１で設定ボタン１が押された場合はステップ３０２に移り、そうでない場合はステップ３０１をくり返す。ステップ３０２でタイマ３１の値が１秒以上であるか否かを判定し、一定値以上であればステップ３０５に移り、そうでなければステップ３０３に移る。ステップ３０３で現在の洗濯メニューが「通常」であれば「手洗い」に、「手洗い」であれば「毛布」に、「毛布」であれば「通常」に洗濯メニューを変更する。ステップ３０４で表示部５を駆動し、洗濯メニューに応じたＬＥＤを点灯させ、ステップ３０１に戻る。ステップ３０５で設定内容報知部４を駆動し、洗濯メニューに応じた報知音を発生させ、ステップ３０１に戻る。
【００２７】
例として洗濯メニューが「通常」であり、タイマ３１の値が０．５秒の時に設定ボタン１が押された場合の動作を説明する。設定ボタン１が押されるまでは制御部２２はステップ３０１をくり返す。この間、タイマ３１は時間のカウントを続ける。タイマ３１の値が０．５秒になり設定ボタン１が押されるとステップ３０２に移る。ステップ３０２でタイマ３１の値が１秒以上でないので、ステップ３０３に移る。ステップ３０３で現在の洗濯メニューが「通常」なので「手洗い」に洗濯メニューを変更する。ステップ３０４で表示部５を駆動し、洗濯メニュー「手洗い」に応じたＬＥＤ９を点灯させステップ３０１に戻る。
【００２８】
次に洗濯メニューが「通常」であり、タイマ３１の値が１．５秒の時に設定ボタン１が押された場合の動作を説明する。設定ボタン１が押されるまでは制御部２２はステップ３０１をくり返す。この間、タイマ３１は時間のカウントを続ける。タイマ３１の値が１．５秒になり設定ボタン１が押されるとステップ３０２に移る。ステップ３０２でタイマ３１の値が１秒以上なのでステップ３０５に移る。ステップ３０５で設定内容報知部４を駆動し、洗濯メニューに応じた報知音を発生させ、ステップ３０１に戻る。
【００２９】
このように本実施例によれば、最後に設定ボタンを押してから１秒以上経過してから設定ボタンを押すとことにより洗濯メニューを音で確認することができ、設定ボタンを１秒未満の間隔で押すことにより洗濯メニューを設定することができる。従って、最後に設定ボタンを押してから１秒以上経過してから設定ボタンを押して現在の洗濯メニューを確認してから続けて設定ボタンを押すことにより洗濯メニューを変更できる。
【００３０】
（参考実施例３）
以下、本発明の参考実施例について図面を参照しながら説明する。
【００３１】
図８は参考実施例３における洗濯機の操作部のブロック図であり、図９は操作部の外観である。図８において、４１は第一の設定内容である洗濯メニューを設定するための設定ボタンである洗濯設定ボタン、４２は第二の設定内容である脱水メニューを設定するための設定ボタンである脱水設定ボタン、４３は押された設定ボタンを記憶する記憶部、４４は設定内容の種類と設定内容に応じて異なる周波数の報知音をスピーカー４７によって報知する設定内容報知部、４５は洗濯メニューに応じてＬＥＤ４８またはＬＥＤ４９またはＬＥＤ５０を点灯させ、脱水メニューに応じてＬＥＤ５１またはＬＥＤ５２またはＬＥＤ５３を点灯させる表示部、４６は洗濯設定ボタン４１もしくは脱水設定ボタン４２が押されると、記憶部４３に記憶されている設定ボタンと押された設定ボタンが同じであるかどうかを判定し、同じであれば対応する設定内容を変更させ表示部４５を駆動し、そうでなければ設定内容報知部４４を駆動し押された設定ボタンに対応する設定内容を報知させ、いずれの場合においても記憶部４３の内容を押された設定ボタンに更新する制御部である。
【００３２】
以上のように構成された操作部の制御部４６の動作について、図１０を用いて説明する。ステップ４０１で洗濯設定ボタン４１が押された場合はステップ４０３に移り、そうでない場合はステップ４０２に移る。ステップ４０２で脱水設定ボタン４２が押された場合はステップ４０８に移り、そうでない場合はステップ４０１に戻る。ステップ４０３で記憶部４３の内容が洗濯設定ボタンであればステップ４０４に移り、そうでなければステップ４０６に移る。ステップ４０４で現在の洗濯メニューが「通常」であれば「手洗い」に、「手洗い」であれば「毛布に」、「毛布」であれば「通常」に洗濯メニューを変更する。ステップ４０５で表示部４５を駆動し、洗濯メニューに応じたＬＥＤを点灯させ、ステップ４０７に移る。ステップ４０６で設定内容報知部４４を駆動し、洗濯メニューに応じた報知音を発生させるステップ４０７で記憶部４３に洗濯設定ボタンを記憶させ、ステップ４０１に戻る。ステップ４０８で記憶部４３の内容が脱水設定ボタンであればステップ４０９に移り、そうでなければステップ４１１に移る。ステップ４０９で現在の脱水メニューが「強」であれば「中」に、「中」であれば「弱」に、「弱」であれば「強」に脱水メニューを変更する。ステップ４１０で表示部４５を駆動し、脱水メニューに応じたＬＥＤを点灯させ、ステップ４１２に移る。ステップ４１１で設定内容報知部４４を駆動し、脱水メニューに応じた報知音を発生させるステップ４１２で記憶部４３に脱水設定ボタンを記憶させ、ステップ４０１に戻る。
【００３３】
例として洗濯メニューが「通常」、脱水メニューが「強」であり、記憶部４３に脱水設定ボタンが記憶されている時に、洗濯設定ボタン４１が押された場合の動作を説明する。洗濯設定ボタン４１が押されるまでは制御部４６はステップ４０１とステップ４０２をくり返す。洗濯設定ボタン４１が押されるとステップ４０３に移る。ステップ４０３で記憶部４３の内容が洗濯設定ボタンではないので、ステップ４０６に移る。ステップ４０６で設定内容報知部４４を駆動し、現在の洗濯メニュー「通常」に応じた報知音を発生させる。ステップ４０７で記憶部４３に洗濯設定ボタンを記憶させ、ステップ４０１に戻る。このように、記憶部４３の内容が脱水設定ボタンであるとき、すなわち脱水設定ボタン４２が押された直後に洗濯設定ボタン４１を押すと、洗濯メニューの設定内容が報知される。
【００３４】
次に、この状態でさらに洗濯設定ボタン４１が押された場合の動作を説明する。洗濯設定ボタン４１が押されるとステップ４０１からステップ４０３に移る。ステップ４０３で記憶部４３の内容が洗濯設定ボタンなので、ステップ４０４に移る。ステップ４０４で現在の洗濯メニューが「通常」なので「手洗い」に洗濯メニューを変更する。ステップ４０５で表示部４５を駆動し、洗濯メニュー「手洗い」に応じたＬＥＤ４９を点灯させ、ステップ４０７に移る。ステップ４０７で記憶部４３に洗濯設定ボタンを記憶させ、ステップ４０１に戻る。
【００３５】
このように、記憶部４３の内容が洗濯設定ボタンであるとき、すなわち洗濯設定ボタン４１が押された直後に洗濯設定ボタン４１を押すと、洗濯メニューの設定内容を変更することができる。
【００３６】
このように本参考実施例によれば、ある設定ボタンを続けて押すと対応する設定内容を変更することができ、その後他の設定ボタンを押すと押された設定ボタンに対応する設定内容を音声または報知音によって確認することができる。そのため、使用者はそれぞれの設定内容について、まず現在の設定内容を確認してから設定内容を変更することが可能となる。
【００３７】
（実施例２）
以下、本発明の一実施例について図面を参照しながら説明する。
【００３８】
図１１は実施例２における洗濯機の操作部のブロック図である。図１１において、４１と４２と４３と４４と４５は実施の形態４の操作部と同じである。６１は洗濯設定ボタン４１もしくは脱水設定ボタン４２が押されてからの経過時間をカウントするタイマ、６２は洗濯設定ボタン４１もしくは脱水設定ボタン４２が押されると対応する設定内容を変更させ表示部４５を駆動し押された設定ボタンを記憶部４３に記憶し、ダイマ６１の値が１秒になった場合には設定内容報知部４４を駆動し記憶部４３に記憶された設定ボタンに対応する設定内容を報知させる制御部である。
【００３９】
以上のように構成された操作部の制御部６２の動作について、図１２を用いて説明する。ステップ５０１で洗濯設定ボタン４１が押された場合はステップ５０４に移り、そうでない場合はステップ５０２に移る。ステップ５０２で脱水設定ボタン４２が押された場合はステップ５０７に移り、そうでない場合はステップ５０３に移る。ステップ５０３でタイマ６１の値を調べ、１秒であればステップ５１０に移り、そうでない場合はステップ５０１に戻る。ステップ５０４で現在の洗濯メニューが「通常」であれば「手洗い」に、「手洗い」であれば「毛布に」、「毛布」であれば「通常」に洗濯メニューを変更する。ステップ５０５で表示部４５を駆動し、洗濯メニューに応じたＬＥＤを点灯させる。ステップ５０６で記憶部４３に洗濯設定ボタンを記憶させ、ステップ５０１に戻る。ステップ５０７で現在の脱水メニューが「強」であれば「中」に、「中」であれば「弱」に、「弱」であれば「強」に脱水メニューを変更する。ステップ５０８で表示部４５を駆動し、脱水メニューに応じたＬＥＤを点灯させ、ステップ５１２に移る。ステップ５０９で記憶部４３に脱水設定ボタンを記憶させ、ステップ５０１に戻る。ステップ５１０で記憶部４３の内容が洗濯設定ボタンであればステップ５１１に移り、そうでなければステップ５１２に移る。ステップ５１１で設定内容報知部４４を駆動し洗濯メニューに応じた報知音を発生させ、ステップ５０１に戻る。ステップ５１２で設定内容報知部４４を駆動し脱水メニューに応じた報知音を発生させ、ステップ５０１に戻る。
【００４０】
例として洗濯メニューが「通常」であり、タイマ６１の値が０．５秒の時に洗濯設定ボタン４１が押された場合の動作を説明する。洗濯設定ボタン４１が押されるまでは制御部６２はステップ５０１とステップ５０２とステップ５０３をくり返す。この間、タイマ６１は時間のカウントを続ける。タイマ６１の値が０．５秒になり洗濯設定ボタン４１が押されるとタイマ６１の値は０に更新され、制御部６２の動作はステップ５０４に移る。ステップ５０４で現在の洗濯メニューが「通常」なので「手洗い」に洗濯メニューを変更する。ステップ５０５で表示部４５を駆動し、洗濯メニュー「手洗い」に応じたＬＥＤ４９を点灯させステップ５０１に戻る。
【００４１】
次に洗濯メニューが「通常」であり、記憶部４３に洗濯設定ボタンが記憶されている状態で、タイマ６１の値が１秒になった時の動作を説明する。タイマ６１の値が１秒になるまでは制御部６２はステップ５０１からステップ５０３までをくり返す。タイマ６１の値が１秒になるとステップ５０３からステップ５１０に移る。ステップ５１０で記憶部４３の内容が洗濯設定ボタンなので、ステップ５１１に移る。ステップ５１１で設定内容報知部４４を駆動し、洗濯メニューに応じた報知音を発生させ、ステップ５０１に戻る。
【００４２】
このように本実施例によれば、最後に設定ボタンを押してから他のボタンが押されないまま１秒以上経過すると最後に押された設定ボタンに対応する設定内容が報知されるため、使用者は自分の設定した内容を確認することができる。また、最後に設定ボタンを押してから１秒以内に他の設定ボタンを押せば前に押した設定ボタンの設定内容は報知されないため、設定ボタンを押すごとに設定内容が報知されうるさいということがない。
【００４３】
【発明の効果】
以上のように請求項１に記載の発明によれば、現在の設定内容は変更せずに設定内容の確認のみを行うことが可能である。また、確認モードで設定確認のために使用するボタンが設定ボタンと同じであるので、操作を覚えるのが容易である。また、必要なときだけ設定内容を報知することにより、特に多くの家電製品の操作部に見られるように目的の設定内容に設定する同一の設定ボタンを数回押す必要がある場合には操作性が向上する。
【００４４】
請求項２に記載の発明によれば、設定終了して一定時間待つだけで自動的に報知するため、操作性が向上するとともに、続けて設定ボタンが押された場合でも最後に押されてから一定時間経過後に一度しか報知されないため、報知中に設定ボタンが押されても設定ボタンを受付けることができ、且つ報知を中止する必要がない。
【図面の簡単な説明】
【図１】  本発明の参考実施例１の操作部の構成を示すブロック図
【図２】  同操作部の外観を示す図
【図３】  同操作部の動作フロー図
【図４】  本発明の参考実施例２の操作部の構成を示すブロック図
【図５】  同操作部の動作フロー図
【図６】  本発明の実施例１の操作部の構成を示すブロック図
【図７】  同操作部の動作フロー図
【図８】  本発明の参考実施例３の操作部の構成を示すブロック図
【図９】  同操作部の外観を示す図
【図１０】  同操作部の動作フロー図
【図１１】  本発明の実施例２の操作部の構成を示すブロック図
【図１２】  同操作部の動作フロー図
【符号の説明】
１  設定ボタン
２  モードボタン
３  モード記憶部
４  設定内容報知部
５  表示部
６  制御部
７  スピーカー
８  ＬＥＤ
９  ＬＥＤ
１０  ＬＥＤ
２１  設定内容確認ボタン
２２  制御部
３１  タイマ
３２  制御部
４１  洗濯設定ボタン
４２  脱水設定ボタン
４３  記憶部
４４  設定内容報知部
４５  表示部
４６  制御部
４７  スピーカー
４８  ＬＥＤ
４９  ＬＥＤ
５０  ＬＥＤ
５１  ＬＥＤ
５２  ＬＥＤ
５３  ＬＥＤ
６１  タイマ
６２  制御部
【図１】
0003873354.tif 000002
【図２】
0003873354.tif 000003
【図３】
0003873354.tif 000004
【図４】
0003873354.tif 000005
【図５】
0003873354.tif 000006
【図６】
0003873354.tif 000007
【図７】
0003873354.tif 000008
【図８】
0003873354.tif 000009
【図９】
0003873354.tif 000010
【図１０】
0003873354.tif 000011
【図１１】
0003873354.tif 000012
【図１２】
0003873354.tif 000013